【手続補正書】
【提出日】平成16年9月15日(2004.9.15)
【手続補正１】
【補正対象書類名】明細書
【補正対象項目名】全文
【補正方法】変更
【補正の内容】
【書類名】          明細書
【発明の名称】    凹凸の有る壁面に取付け可能な壁掛け式フック
【特許請求の範囲】
【請求項1】  当該発明品である凹凸の有る壁面に取付け可能な壁掛け式フックは、フック本体の裏面に、比較的速乾性の高いゼリー状の接着剤、接着糊等を保持するという特徴を有する、凹凸の有る壁面に取付け可能な壁掛け式フック。
【請求項2】  請求項1で述べる、比較的速乾性の高いゼリー状の接着剤、接着糊等を、乾燥、硬化させること無く保持させる為に、接着剤、接着糊等の周囲、つまり当該フック壁面取付け板部分外周部に断気性の高い接着剤保護バンドを二層目に、通気性の高い接着剤保持バンドを一層目に持つという特徴を有する凹凸の有る壁面に取付け可能な壁掛け式フック。
【請求項3】  請求項1で述べる、比較的速乾性の高いゼリー状の接着剤、接着糊等をフック本体の裏面、つまり当該フックを壁面に取付けようとする接着面、接着剤、接着糊等を壁面に接着させる部分には、ゼリー状の接着剤、接着糊等を乾燥、硬化から保護する為に、断気性の高い接着剤保護シールを保持させているという特徴を持つ凹凸の有る壁面に取付け可能な壁掛け式フック。
【0001】
【発明の詳細な説明】  当該発明品である凹凸の有る壁面に取付け可能な壁掛け式フックは、従来の技術では取付ける事が出来なかった凹凸の有る壁面、粗雑な表面を持つ壁面等に、軽く圧着する事で、簡単に取り付ける事が出来るように、発明された物である。当該フックの裏面、つまり当該フックを壁面に取付けようとするフック裏面に、適量の速乾性の高いゼリー状の接着剤、接着糊を保持させている為に、取付ける直前に当該フック裏面の接着剤保護シール、及び当該フック取付け板外周部分の二層目の接着剤乾燥硬化保護バンドを剥離して、接着面を取付けようとする壁面に圧着する事により、当該フックは、その機能を発揮する物である。
【0002】
【発明の属する技術分野】
当該発明品は、一般家庭や、事業所、事務所等で利用されている壁面貼り付け用壁掛け式フックに関する発明である。
【0003】
【従来の技術】  従来の技術は、フック裏面に両面テープ、又は極めて薄く接着剤等を塗布、保持させて、フックを壁面に圧着させて利用する物がほとんどであるが、両面テープ、又は極めて薄く塗布した接着剤等では接着力の接着強度不足でフックに、ある一定以上の荷重が掛かると簡単に脱落してしまい、その機能を発揮する事が出来ない物である。又、両面テープ、極めて薄く塗布保持した接着剤等では、凹凸の有る壁面、壁面の表面の状態が粗雑な壁面等ではその機能は発揮する事無く、利用者は大変な不便を強いられているのである。又接着面を吸盤等で代用、利用した物も存在するが、これらも圧着取付けようとしても、取付けようとする壁面が鏡面に近い状態であれば、その機能を発揮するが、少しでも凹凸が有ったり、壁面の状態が粗雑であれば有るほど、その機能は発揮される事無く利用者は、大変な不便を強いられているのである、
【0004】
【発明が解決しようとする課題】  従来の技術では、フックの接着強度を上げるためにいろいろな事が試みられているが、問題の解決には到っていないのである。接着強度を上げるために、フック取付け板をネジ式により、フック取付け壁面にネジ込む方式も存在するが、ネジ込む事で壁面を傷つけてしまう事になり、利用する者はフックを取外した時に、甚だ美観を損ねてしまう事になる。又、両面テープや極めて薄く塗布した接着剤では、接着しようとする壁面の状態が鏡面に近ければ近いほど接着強度は上がるが、壁面に凹凸が有れば凹凸の大きさに比例して、その接着強度は低下する事になる、又、壁面の表面の粗雑さも同様である。従って、凹凸の大きな壁面、壁面の状態が粗雑な壁面ほど、ほとんどその機能は発揮される事無く、大変な不便を強いられることになる。又、必要な接着強度を保持する為に、フック取付け板を大きくすれば美観を損なう事になり、又、狭小な場所での使用は不可能である。フックを取付ける位置の選択もしなければいけない事になり、利用価値は半減してしまう事になる。又前項0003項でも述べる様に吸盤式は、凹凸の有る壁面、壁面の表面が粗雑な壁面ではその機能は、ほとんど発揮しないのである。
【0005】
【課題を解決する為の手段】  当該発明品である、凹凸の有る壁面に取付け可能な壁掛け式フックは、フック本体裏面、即ち、壁面に取付ける部分の裏面に、ゼリー状の比較的速乾性の高い接着剤、接着糊等を保持させる事で、問題の解決を図るものである。フック本体の裏面に保持させる速乾性の高いゼリー状の接着剤、接着糊等は、速乾性の為に当該フックを、壁面等に取付け利用するまでは、その乾燥、硬化から保護する為に、裏面と取付け板外周に接着剤乾燥硬化保護シールを保持させて、接着剤の乾燥硬化を保護させる構造を保持させている。又当該発明品であるフックを壁面に、取付け利用する時に保持されている接着剤が、当該フックの取付け板外周より漏出しない様に、保護シールを取り外した時にも、二層目の通気性の有る保護シールの効果で、接着剤が外部に漏出する事無くその機能を発揮する設計がなされている。
【0006】
【発明の実施の形態】  ここで図面を参照して発明の実施の形態を説明する。図1は当該発明品である凹凸の有る壁面に取付け可能な壁掛け式フックの断面図である。
図1中符号4は比較的速乾性のある接着剤、接着糊等を当該フック取付け板より漏出させないための接着剤、接着糊等、漏出防止用の比較的通気性の有る保護シールである。図1中符号3は当該フックの本体接着面に保持させている、比較的速乾性の有る接着剤、接着糊等を乾燥、硬化から保護するための断気性の高い保護シールである、図1中符号6は当該フックに保持させている比較的速乾性の高い接着剤、接着糊等を乾燥硬化から保護するための断気性の高い保護シールである。図2は当該発明品である、凹凸の有る壁面に取付け可能な壁掛け式フックを、凹凸の有る壁面に取付けた状態の断面図である。
【0007】
図3は、従来の技術による壁掛け式フックを凹凸の有る壁面、壁面が粗雑な壁面に取付けた状態の断面図であるが、従来までの技術によれば、図3の様に両面テープ、極めて薄く塗布した接着剤等であれば図3のような状態なり、接着面が極端に小さくなり、接着強度が極端に低下してその機能を発揮することが出来ないでいる。本発明品である、凹凸の有る壁面に取付け可能な壁掛け式フックは、前項0006項で述べてる図1中の符号6の接着剤保護シール、及び図1中符号3の接着剤保護シールを取付ける直前に、剥離して接着面を取付ける壁面に軽く圧着する事で、当該フック裏面に保持されている速乾性の高いゼリー状の接着剤、接着糊等は軽く圧着される事により、壁面の窪んだ部分にも簡単に押し込まれ、図2のように壁面全体に、比較的速乾性の接着剤、接着糊が行き届き、接着力は当然増大する事になり、簡単に誰にでも簡単に取付けるように設計されている。又、当該フックの裏面、速乾性の高い接着剤、接着糊等は、外部フック本体外周部二層目の、比較的通気性の高い接着剤漏出防止用保護バンドからの外気の進入などの作用で外気に触れやすい為に、比較的簡単に速乾性の接着剤、接着糊等は、乾燥硬化して接着力の強度上昇に繋がり接着力の強化になる。
【0008】
【発明の効果】  今までの説明に述べる様に、本発明品である、凹凸の有る壁面に取付け可能な壁掛け式フックを広く社会に広める事で、従来までの技術では凹凸の有る壁面や、壁面の表面が粗雑な壁面等、諦めていた壁掛け式フックの利用価値が大きく増大する事になり、あらゆる一般家庭用、事業用、産業用等、あらゆる所で利用可能となり、強いては、広く社会と公共の福祉に貢献出来る物である。
【0009】
【図面の簡単な説明】
【図1】
当該凹凸の有る壁面に取付け可能な壁掛け式フックの断面図である。
【図2】
当該凹凸の有る壁面に取り付け可能な壁掛け式フックを、凹凸の有る壁面に取り付けた時の、断面図である。
【図3】
従来の技術による壁掛け式フックを、凹凸の有る壁面に取り付けた時の、断面図である。
【0010】
【符号の説明】
1、当該凹凸の有る壁面に取付け可能な壁掛け式フック本体の断面図である。
2、当該凹凸の有る壁面に取り付け可能な壁掛け式フック本体の接着面である。
3、当該フック本体接着面の周囲に取り付けられた帯状の二層目の比較的速乾性の高い接着剤、接着糊等の乾燥硬化防止用保護シールである。
4、当該フック本体一層目に保持されている比較的通気性の高い材料で出来た、比較的速乾性の高い接着剤、接着糊等の漏出防止用保護シールである
5、当該フック本体の接着面、外周周囲である。
6、当該フック本体裏面、接着面の比較的速乾性の高い接着剤、接着糊等乾燥硬化防止用保護シールである。
7、比較的速乾性の高い材料による接着糊、速乾性接着剤等である。
8、凹凸の有る壁面に当該凹凸の有る壁面に取付け可能なフックを取り付けた時の接着剤の形状及び取付け状態断面図である。
9、凹凸の有る壁面の断面図である。
10、同上
11、従来の技術による壁掛け式フックの断面図である。
12、従来の技術によるフックを凹凸の有る壁面に取り付けた時の接着面の断面図である。
13、従来の技術によるフックの接着面である。
【手続補正２】
【補正対象書類名】図面
【補正対象項目名】全図
【補正方法】変更
【補正の内容】
【図１】
2004057456.tif 000001
【図２】
2004057456.tif 000002
【図３】
2004057456.tif 000003